(57)【特許請求の範囲】
【請求項１】
トイレの壁面または床面、若しくはこれらの両方の面、を覆ってかつ相互間を目地で埋めた状態で多数貼り付けられたタイルの一つに対応して、サンプルとなる一の試験片を設置した状態で、該試験片が内部に位置するように、該試験片の輪郭より小さい形状の開口部を底部に有する測定容器を配置した後、該測定容器内に清浄な空気を送って内部の空気と置換し、その後、該測定容器内の試験片から既定時間内に発生した臭気成分を含む空気を分析して臭気成分の量を測定することを特徴とする被覆材評価方法。
【請求項２】
前記臭気分析はガスクロマトグラフィにより行うことを特徴とする請求項１に記載の被覆材評価方法。
【請求項３】
前記サンプルとなる試験片は、表面粗さ、気孔率、材質、抗菌処理などの仕様に応じて種々のタイプのものを設置し、タイプ毎に評価を行うことを特徴とする請求項１または２のいずれか１項に記載の被覆材評価方法。
【発明の詳細な説明】
【技術分野】
【０００１】
本発明は、建築物の床、壁等に設けられる被覆材、例えば、駅のトイレなどに設置されるタイルの性能を容易に判断することができる評価方法に関する。
【背景技術】
【０００２】
一般の人が多く利用する駅などの公的トイレでは、臭いに関する苦情が発生しやすく、定期的に清掃を実施しても、苦情の発生は無くなっていない。
【０００３】
そして、このようなトイレにおいて、汚物などの汚れを検知する技術として、例えば、特許文献１に示されるトイレ室内の汚れ報知システム、特許文献２に示される水回り品の蛋白質を含む汚れの可視化判定方法、特許文献３に示される悪臭源検出排除方法及び装置などが知られている。
【先行技術文献】
【特許文献】
【０００４】
【特許文献１】特開２００９−１５５８３１公報
【特許文献２】特開２０００−１４６８４５号公報
【特許文献３】特開２００５−６１８３６号公報
【発明の概要】
【発明が解決しようとする課題】
【０００５】
ところで、駅の公的トイレのタイルについて、耐久性、意匠性、耐スリップ性など様々な評価項目があるが、尿による悪臭を発生させない耐臭性能も重要な評価項目の一つである。
公的トイレにおいて悪臭が発生する原因としては、タイル表面の粗さを形成する微細な凹凸部内に尿が溜まり、これが時間の経過とともに分解されてアンモニアなどの臭気成分が発生するということにあり、その悪臭をできるだけ低く抑えることが必要となっている。
また、悪臭発生の程度は、表面粗さ、気孔率、抗菌処理など様々な処理を施したタイルの形態によるが、これらタイルの悪臭発生程度を簡易に測定できる技術はこれまでなく、さらに、さまざまな仕様のタイルを実際にトイレ内の床材として設置して試験を行おうとしても、タイルを剥がして（試験片を切り出して）分析機器にかけることは現実的ではない。
【０００６】
この発明は、上述した事情に鑑みてなされたものであって、タイル等の被覆材の形態毎の悪臭発生程度を簡単に測定及び評価することができ、これによって駅などの公的トイレでの使用に適したタイルを容易に選択することができるタイル評価方法及び装置を提供する。
【課題を解決するための手段】
【０００７】
上記目的を達成するために、本発明の被覆材評価方法では、トイレの壁面、床面などの露出面に、サンプルとなる試験片を設置した状態で、該試験片が内部に位置するように、底部に開口部を有する測定容器を配置した後、該測定容器内に清浄な空気を送って内部の空気と置換し、その後、既定時間内において該測定容器内の試験片から発生した空気を分析して臭気成分の量を測定することを特徴とする。
【０００８】
また、本発明は、トイレの壁面、床面などの露出面に設置したサンプルとなる試験片からの臭気を測定する被覆材評価装置であって、前記試験片が内部に位置するように底部に開口部を有する測定容器と、前記測定容器に設けられて清浄な空気を送って内部空気を該清浄空気に置換するための清浄空気供給孔と、前記測定容器内の前記試験片から既定時間内で発生した空気を分析して臭気成分の量を測定するための測定用空気の捕集孔と、を有することを特徴とする。
【発明の効果】
【０００９】
本発明では、トイレの壁面、床面などの露出面に、サンプルとなる試験片を設置した状態で、該試験片が内部に位置するように、底部に開口部を有する測定容器を配置した後、該測定容器内に清浄な空気を送って内部の空気と置換し、その後、既定時間内において該測定容器内の試験片から発生した空気をガスクロマトグラフィ等により分析して臭気成分の量を測定するようにした。そして、ここでの測定結果に基づき、トイレから被覆材を剥がすこと無く、被覆材の形態毎の悪臭発生程度を数値により正確に評価することができ、これによって駅などの公的トイレでの使用に適した被覆材を容易に選択することが可能となる。
【００１０】
また、本発明では、測定容器の開口部を、試験片の外形状よりも小さい形状に形成することにより、被覆材間の目地部分に形成された凹部を経由して測定容器内に外気が侵入することが防止され、試験片から発生する臭気成分の測定を、外気に影響されることなく正確に行うことができる。
また、本発明は、サンプルとなる試験片として、表面粗さ、気孔率、材質、抗菌処理などの仕様に応じて種々のタイプのものを設置し、これら試験片から発生する臭気をタイプ毎に評価することによって、公的トイレでの使用に適した最適な被覆材を選択することができる。
【図面の簡単な説明】
【００１１】
【図１】本発明の実施形態に係る試験片（タイル）が設置されているトイレの床面を示す斜視図である。
【図２】本発明の実施形態に係るチャンバ１に清浄空気を供給している様子を示す斜視図である。
【図３】本発明の実施形態に係るチャンバ１を一定時間、放置している様子を示す斜視図である。
【図４】チャンバ１内に充満した臭気を捕集している様子を示す斜視図である。
【発明を実施するための形態】
【００１２】
本発明の一実施形態として示された被覆材評価装置及び被覆材評価方法について図１〜図４を参照して説明する。
【００１３】
まず、図１はサンプルとなる被測定タイルＡであって、トイレの壁面、床面などの露出面といった尿の飛散する恐れのある箇所に貼付しておく。なお、タイルは、陶磁器製、石材製、金属製、木質材料製、合成樹脂製、あるいはこれらの内複数を積層した構造など、凡そ床や壁の表面の被覆に用いられる種々の材料を含むものとする。
トイレ内に被測定タイルＡを設置した後、被測定タイルＡが内部に位置するように測定容器となるチャンバ１を設置する。
【００１４】
このチャンバ１は、図２及び図３に示されるように、内部が中空状に形成された容器２と、容器２の上部開口を塞ぐ脱着自在な蓋体３とから構成されたものであって、容器２の底部には底面開口部４が形成されている。
該チャンバ１の底面開口部４は、被測定タイルＡの外形状よりもわずかに小さい平面形状に形成されているが、その理由は、被測定タイルＡの外形と等しいか僅かに大きい場合には、タイル間の目地に相当する凹部を経由して当該被測定タイルＡ以外の領域からチャンバ１内に汚水や外気が侵入することを防止して、確実に被測定タイルＡからの臭気を測定するためである。
【００１５】
また、チャンバ１の蓋体３には、外部から清浄空気を供給するための清浄空気供給孔１０と、チャンバ１内の空気を捕集するための測定用空気の捕集孔１１とが設けられている。
清浄空気供給孔１０には、清浄空気供給手段２０が接続されている。この清浄空気接続手段２０は、空気を供給するエアポンプ２１と、エアポンプ２１から供給された空気を無臭の清浄空気にする活性炭フィルタ２２とからなるものであって、該活性炭フィルタ２２を経由した清浄空気が、空気供給管２３を経由してチャンバ１内に供給される。
【００１６】
また、捕集孔１１には、図４に示されるように、ＳＰＭＥ（固相マイクロ抽出）サンプリングシステム３０が脱着自在に取り付けられる。このＳＰＭＥサンプリングシステム３０は、清浄空気供給孔１０を通じて一定時間（例えば３０分）清浄空気が供給された後で、一定時間（例えば３０分）放置し、その後に被測定タイルＡから発生した臭気を捕獲するためのものである。
そして、ＳＰＭＥサンプリングシステム３０で捕集された臭気成分を含む空気は、図示しないガスクロマトグラフィ等の分析装置に取り込まれて成分が分析される。
【００１７】
次に、上記チャンバ１を用いたタイル評価方法について説明する。
（１）まず、図１に示すように、トイレ内にサンプルとなる被測定タイルＡを一定期間設置して、実際のトイレでの使用に供する。
【００１８】
（２）図２に示されるように、一定期間使用した後の被測定タイルＡ上に、底部に底面開口部４を有するチャンバ１を配置する。ここで、チャンバ１の底面開口部４は、被測定タイルＡの外形状よりも小さい形状に形成されているので、被測定タイルＡ内にチャンバ１の底面開口部４が位置するように、該チャンバ１を位置合わせする。
【００１９】
（３）図２に示されるように、清浄空気供給手段２０のエアポンプ２１を駆動することで、清浄空気供給孔１０を通じて、チャンバ１内に清浄な空気を送って内部の空気を清浄空気に置換する。
ここでチャンバ１内に清浄空気を供給する時間は、他のタイルとの実験条件を統一するために一定時間（例えば、３０分）とするが、これは以下の（４）で示す放置時間、（５）で示す臭気の捕集時間についても、同様に、実験条件を統一するために実験毎に統一する。
【００２０】
（４）清浄空気を一定時間供給した後、清浄空気供給手段２０のエアポンプ２１の駆動を停止し、その後、図３に示されるように、所定時間（例えば、床にこぼれた尿が細菌等により分解されて臭気を発生することが予測される時間）放置することで、チャンバ１の容器２内に被測定タイルＡから発生した臭気を充満させる。なお、放置している間は、チャンバ１内を外気と遮断するために、清浄空気供給孔１０及び測定用空気の捕集孔１１を栓１０Ａ・１１Ａあるいは弁により密閉する。
【００２１】
（５）図４に示されるように、チャンバ１の測定用空気の捕集孔１１にＳＰＭＥサンプリングシステム３０を取り付け、該ＳＰＭＥサンプリングシステム３０に臭気を一定時間（例えば６０分）捕集する。一定時間経過後は、ＳＰＭＥサンプリングシステム３０に捕集された臭気の定量分析をガスクロマトグラフィ装置（図示略）にて行い、被測定タイルＡ中に含まれる臭気を評価する。
【００２２】
上述した評価は、表面粗さ、気孔率、材質、抗菌処理などの仕様に応じて種々のタイプのタイルをトイレ内に設置し、これら各タイルについて、上述した（１）〜（５）の行程を繰り返すことで実施する。そして、これら（１）〜（５）の処理を種々のタイプのタイルについて行うことで、どのタイプのタイルが臭気の含有が少ないかを評価し、その評価結果に基づき、トイレでの使用に適している最適なタイルを選択することができる。
【００２３】
ここで、種々のタイルは、通常のタイル例えば図１に示す所定のエリアに、符号Ａ・Ｂ・Ｃ・Ｄで示す被測定タイルを通常の（既設の）タイルＥに代えて配置し、各被測定タイルについて順次、上述した（１）〜（５）の行程を実施することでタイル評価を行なう。又は符号Ａで示す特定位置を試験箇所とし、この箇所にて、一定期間毎に被測定タイルを交換することで、種々のタイプのタイル評価試験を繰り返し行うようにしても良く、実験の形態は自由に定めることができる。
【００２４】
以上詳細に説明したように本実施形態に係るチャンバ１及び該チャンバ１を使用したタイル評価方法によれば、トイレの壁面、床面などの露出面に、サンプルとなる被測定タイルＡを設置した状態で、該被測定タイルＡが内部に位置するように、底部に底面開口部４を有するチャンバ１を配置した後、該チャンバ１内に清浄な空気を送って内部の空気と置換し、その後、既定時間内において該チャンバ１内の被測定タイルＡから発生した空気を捕集し、ガスクロマトグラフィ装置等により分析することで臭気成分の量を測定するようにした。
そして、ここでの測定結果に基づき、特にトイレからタイルを剥がすこと無く、タイルの形態毎の悪臭発生程度を数値により正確に評価することができるので、その評価結果に基づき、駅などの公的トイレでの使用に適したタイルを容易に選択することが可能となる。
【００２５】
また、本実施形態では、チャンバ１の底面開口部４を、被測定タイルＡの外形状よりも小さい形状に形成することにより、タイル間の目地部分に形成された凹部を経由してチャンバ１内に外気が侵入することが防止され、被測定タイルＡから発生する臭気成分の測定を、外気に影響されることなく正確に行うことができる。
また、本実施形態では、サンプルとなる被測定タイルとして、表面粗さ、気孔率、材質、抗菌処理などの仕様に応じて種々のタイプのものを設置し、これら被測定タイルＡから発生する臭気をタイプ毎に評価することによって、公的トイレでの使用に適した最適なタイルを選択することができる。また、サンプリング時間を３０分、１時間、２時間、３時間……と変更して各々臭気を測定し、所定のしきい値（利用者が悪臭と感じる程度の濃度）を越える時間を判別して、この時間をトイレ清掃時刻の設定（清掃の周期）の決定の参考にするのも有効である。
【００２６】
なお、上記実施形態では、チャンバ１の蓋体３に、清浄空気供給孔１０と、測定用空気の捕集孔１１とをそれぞれ設けたが、これら清浄空気供給孔１０と、測定用空気の捕集孔１１を共通の孔とし、清浄空気供給手段２０に通じる経路と、ＳＰＭＥサンプリングシステム３０に通じる経路とを切換弁により適宜切り替えるようにしても良い。
【００２７】
また、上記実施形態では、チャンバ１をトイレの床上の被測定タイルＡ上に載置したが、被測定タイルＡは床上に位置することに限定されない。例えば、尿の飛散の可能性のある壁面上に、被測定タイルＡを設置しても良い。このとき、チャンバ１は被測定タイルＡに対して水平に配置する必要があるが、これは別途、外部に設けたチャンバ支持手段により該チャンバ１を支持するようにすると良い。また、タイルに限らず、床や壁面の表面を被覆するパネル等の分析に本発明を適用することができるのはもちろんである。
【００２８】
また、上記実施形態では、チャンバ１の容器２の底面開口部４を、被測定タイルＡの上面に位置させるようにしたが、このとき、底面開口部４を形成する容器２の縁部には、後処理で行うガスクロマトグラフィ分析の際に、尿の検出結果に影響が及ぶことを防止するために、該被測定タイルＡに密着させるためのゴムパッキンを設けないことが好ましい。その理由は、パッキンに用いられるゴム等の弾性体は、有機溶剤等の揮発性（臭気の要因となる）物質を含有しているため、このパッキンに起因する臭気の影響を排除するためである。なお、被測定領域への周囲からの臭気や汚水の侵入を防止すべくパッキンを設ける必要がある場合には、パッキンを構成するゴムや合成樹脂を分析して、これらに含まれる臭気成分を予め基礎データとして取得しておき、この基礎データによって臭気の測定結果を校正するようにしてもよい。
【００２９】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３０】
本発明は、駅のトイレなどに設置される被覆材が適切な仕様を有しているか否かを容易に判断することができる被覆材評価方法及び装置に関する。
【符号の説明】
【００３１】
１  チャンバ（測定容器）
４  底面開口部
１０  清浄空気供給孔
１１  測定用空気の捕集孔
Ａ    被測定試験片（タイル）
【図１】
0005921932.tif 000002
【図２】
0005921932.tif 000003
【図３】
0005921932.tif 000004
【図４】
0005921932.tif 000005